(57)【要約】【課題】エアフィルターの自動清掃が可能で、埃の吸引性能の低下を防ぐとともに、屋内と屋外との距離が長大で塵埃排出に不都合な場合など、設置場所を選ばない空気調和機を提供すること。【解決手段】エアフィルター２を支持するフィルターワク１と、吸引ノズル３と、吸引装置６と、吸引通路または排気通路の途中に集塵部１８を設けたフィルター装置２０を空気調和機の本体２６に備えることで、エアフィルター２の自動清掃が可能で、吸引装置６の吸引性能の低下を防ぎ、また、設置場所を選ばない空気調和機が提供できる。【選択図】図７
2007071494.tif 000002
【特許請求の範囲】
【請求項１】
熱交換器を通過する空気中の埃を除去するエアフィルターと、前記エアフィルターを支持するワクと、吸引ノズルと、吸引装置から成るフィルター装置において、前記フィルター装置の吸引通路または排出通路の途中に、風速の遅くなる領域を設けて集塵部を構成したことを特徴とする空気調和機のフィルター装置。
【請求項２】
前記フィルター装置において、前記集塵部を前記吸引装置に設け、着脱可能な構成としたことを特徴とする請求項１記載の空気調和機のフィルター装置。
【請求項３】
前記フィルター装置において、前記吸引装置に設けた着脱可能な前記集塵部を取り外した箇所に、ケーシングカバーを設けたことを特徴とする請求項２記載の空気調和機のフィルター装置。
【請求項４】
前記請求項１から３のいずれかに記載のフィルター装置を備えた空気調和機。
【発明の詳細な説明】
【技術分野】
【０００１】
本発明は、エアフィルターの清掃を自動的に行うようにした空気調和機に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、フィルターのメンテナンスの手間を低減する目的で、特許文献１のようにエアフィルターに付着した埃を自動で吸引清掃する装置が考案されている。
【特許文献１】特開２００５−１４０４０３号公報
【発明の開示】
【発明が解決しようとする課題】
【０００４】
しかしながら、上記従来技術は、エアフィルターに付着した埃を吸引ノズルから吸引して、吸引ダクト、吸引装置を経由して室外へ排出するというメンテナンスの要らない方式であるため、埃を排出することが難しい場所へ、このフィルター装置を搭載した空気調和機を設置することができないという課題があった。
【０００５】
また、エアフィルターに付着する埃において、長繊維を含む埃や毛玉状の埃が非常に多い環境で使用し続けると、吸引装置の内部に付着していき、吸引性能が低下するという課題があった。
【０００６】
これらの課題を解決するため、このフィルター装置の吸引通路または排気通路の途中に集塵部を設けた構成にしたものである。
【課題を解決するための手段】
【０００７】
前記課題を解決するため本発明は、熱交換器を通過する空気の埃を除去するエアフィルターと、前記エアフィルターを支持するワクと、吸引ノズルと、吸引装置から成るフィルター装置において、前記フィルター装置の吸引通路または排気通路の途中に、風速の遅くなる領域を設けて集塵部を構成したものである。
【０００８】
これによって、設置場所を選ばず、また、吸引性能の維持が可能なエアフィルターの自動清掃装置を搭載した空気調和機が提供できる。
【発明の効果】
【０００９】
本発明の空気調和機のフィルター装置は、吸引通路または排出通路の途中に、風速の遅くなる領域を設けて集塵部を構成したことにより、エアフィルターの自動清掃化を図るとともに、室外へ埃を排出することが難しい場所への空気調和機の設置と、埃の吸引性能が維持できるようにしたものである。
【発明を実施するための最良の形態】
【００１０】
第１の発明は、熱交換器を通過する空気中の埃を除去するエアフィルターと、前記エア
フィルターを支持するワクと、吸引ノズルと、吸引装置から成るフィルター装置において、前記フィルター装置の吸引通路または排気通路の途中に、風速の遅くなる領域を設けて集塵部を構成したものである。
【００１１】
これにより、室外への埃の排出が規制できる。
【００１２】
第２の発明は、特に、第１の発明のフィルター装置において、前記集塵部を前記吸引装置に設け、着脱可能な構成にしたものである。
【００１３】
これにより、室外への埃の排出が規制でき、また、前記吸引装置に設けた吸引ファンへの埃の進入を防ぐことができるため、吸引性能を維持することが可能となる。さらに、前記集塵部に溜まった埃を除去する場合、吸引装置を取り外して分解掃除しなくてもよく、メンテナンス性に優れたものとなる。
【００１４】
第３の発明は、特に、第２の発明のフィルター装置において、前記吸引装置に設けた着脱可能な前記集塵部を取り外した箇所に、ケーシングカバーを設けたものである。
【００１５】
これにより、集塵機能と排出機能とを任意に選択することが可能となり、前記フィルター装置を搭載した空気調和機は、設置場所を選ばなくてもよくなる。
【００１６】
第４の発明は、特に、第１から３の発明のいずれかのフィルター装置を空気調和機に備えたものである。
【００１７】
これにより、エアフィルターの自動清掃が行えるとともに、埃を排出することが難しい場所への設置が可能となり、また、埃が非常に多い環境で使用しても吸引性能を維持することができる空気調和機が提供できる。
【００１８】
以下、本発明の実施の形態について、図面を参照しながら説明する。なお、この実施の形態によって本発明が限定されるものではない。
【００１９】
（実施の形態１）
図1から図４は、本発明の実施の形態１におけるフィルター装置２０の構成例を示した図である。
【００２０】
図１において熱交換器を通過する空気中の埃を除去するエアフィルター２は、フィルターワク１に支持固定され、エアフィルター２の表面に沿って移動可能な吸引ノズル３が設けられている。吸引ノズル３はフィルターワク１の上下端に設置されたガイドレール４により支持されて、エアフィルター２と極めて狭い隙間を保って円滑に左右に移動することができ、エアフィルター上に付着した塵埃はこの吸引ノズル３より吸引される。ここで、吸引ノズル３は、フィルターワク１の下部に備えたワイヤーとモータ（図示せず）で左右に駆動される。
【００２１】
そして、吸引ノズル３には吸引ダクト５が連結され、吸引ダクト５は集塵部１８に、集塵部１８は吸引装置６に連結される。ここで、吸引ダクト５は吸引ノズル３の移動に差し支えないように、屈曲自在なダクトで形成される。さらに、吸引装置６には排気ダクト７が連結され、室外へ引き回される。
【００２２】
図３に示すように、吸引ノズル３は吸引した風の流通路を構成するノズル８と、ノズル８を囲むように設けられたフィルム９と、フィルム９を支持して駆動力を伝えるギヤ１４と、フィルム９を支持して円滑に駆動させるためのローラー１５ａ、１５ｂ、１５ｃから
構成される。ノズル８のエアフィルター側の面には、エアフィルター２の縦長さに相当する長さでスリット状のノズル開口部１０が設けてある。一方、フィルム９はループ状に形成され、ノズル開口部１０を覆うようにノズル８の外周に巻き付けられ、エアフィルター側の面は、ノズル開口部１０に相当する開口部１６が設けられた、フィルムガイド１７で支持されている。そして、図２に示すように、フィルム９にはスリット状の吸引孔１１が設けてあり、吸引孔１１の位置がノズル開口部１０に相対する位置に取り付けられている。フィルム９の両端には等間隔の駆動穴が設けられており、ステッピングモータ１３を連結したギヤ１４が、駆動穴１２に噛み合わさることによってフィルム９は上下方向のいずれにも自在に駆動できるようになっている。
【００２３】
図４に示すように、集塵部１８は、埃を溜める空間部分２７を吸引風の流入口２８の断面積よりも大きく設定している。また、流出口２９の手前には集塵フィルター３７を設けている。
【００２４】
以上のような構成により、吸引装置６によって吸引される風量は吸引孔１１に絞られて集中することとなるので、少ない風量でも吸引孔１１部分では強い風速を発生させることが可能となる。すなわち、小出力で強い吸引力を発揮することが可能となる。この強い吸引力で吸引されたエアフィルター上の埃は、吸引孔１１からノズル開口部１０を経てノズル８内部に入り、吸引ダクト５を通り、集塵部１８で集塵される。そして、吸引ノズル３を左右に駆動する毎に、フィルム９に設けた吸引孔１１を可変させることで、エアフィルター全面を吸引清掃することが可能となる。
【００２５】
ここで、エアフィルターに付着する埃が、比較的重量が大きい長繊維を含む埃や毛玉状の埃であった場合、集塵部１８の埃を溜める空間部分２７は、流入口２８の断面積よりも大きく設定しているため、吸引風速が一時的に低下し、埃は空間部分２７の下部へと落下して、集塵することが可能となる。
【００２６】
そして、上記のような構成により、室外への埃の排出を規制することができる。
【００２７】
尚、集塵部１８は、排気通路に設けてもかまわない。
【００２８】
（実施の形態２）
図５は、本発明の第２の実施の形態における吸引装置６の構成例を示した図である。
【００２９】
以下の説明において、実施例１の説明と重複するフィルター装置２０の構成、動作に関する説明は省略する。
【００３０】
図５に示すように、吸引装置６は、送風通路３６を形成するケーシング３５に、吸引モータ３３と、吸引ファン３４と、吸引ダクト５が連結される吸引ダクト接続口３１と、排気ダクト７が連結される排気ダクト接続口３２とを備え、送風通路３６内に集塵フィルター３７と、ケーシング３５の下部に集塵部１８を設けている。そして、集塵部１８と送風通路３６を形成するケーシング３５の一部分を容易に着脱可能な構造にしたものである。
【００３１】
このような構成をとることにより、フィルター装置２０のデッドスペースを有効利用しつつ、集塵部１８の容積を大きくとることが可能となる。そして、吸引ダクト５を通り、吸引ダクト接続口３１から流入してきた吸引風の速度は、送風通路３６および集塵部１８を構成した空間内で一時的に低下するため、吸引風で搬送されてきた長繊維を含む埃や毛玉状の埃は、下部へと落下して集塵部１８に集塵することができる。また、集塵部１８を着脱可能としているため、集塵した埃を容易に除去することができる。
【００３２】
このため、室外への埃の排出が規制でき、また、前記吸引装置に設けた吸引ファンへの埃の進入を防ぐことができるため、吸引性能を維持することが可能となる。さらに、前記集塵部に溜まった埃を除去する場合、吸引装置を取り外して分解掃除しなくてもよく、メンテナンス性に優れたものとなる。
【００３３】
尚、集塵部１８にゴミパックを設ける構成にしてもかまわない。
【００３４】
（実施の形態３）
図６は、本発明の第３の実施の形態における吸引装置６の構成例を示した図である。
【００３５】
本発明の実施の形態２で述べたように、吸引装置６において、着脱可能にした集塵部１８を取り外した箇所に、図６に示すように、送風通路３６を形成したケーシングカバー３８を着脱可能なように設けたものである。
【００３６】
このような構成をとることにより、吸引ダクト接続口３１から流入してきた埃は、送風通路３６を通り吸引ファン３４に直接吸込まれるため、集塵部を持たないフィルター装置となる。また、ケーシングカバー３８を取り外して、集塵部１８を取り付けることも可能となる。
【００３７】
従って、集塵機能と排出機能とを任意に選択することができるため、フィルター装置２０を用いる環境に応じて選定が可能となる。なお、この選択機能を、ダンパ等を利用して切換えるようにしても良い。
【００３８】
（実施の形態４）
図７は、本発明の第６の実施の形態における空気調和機の構成例を示した図である。
【００３９】
図７に示すように、空気調和機の本体２６の内部には熱交換器２２が設けられ、空気の流路となる風流路２５が形成されている。この風流路２５内にはファン２３が配設され、本体２６の前面から上面にわたり形成される吸込口２１から吸い込み、吹出口２４から吹出す空気の流れを発生させている。そして、実施の形態１から５で述べたいずれかのフィルター装置２０を、本体２６の前面から上面にわたり形成される吸込口２１と熱交換器２２の間にＬ字型の形状で配設している。
【００４０】
このような構成をとることにより、吸込口２１から吸込まれた空気に含まれる埃はフィルター装置２０で自動清掃することが可能となり、熱交換器２２へ塵埃が付着し、性能低下を引き起こすことが防止できる。また、実施の形態１から３で述べたように、室外への埃の排出が規制できるとともに、吸引性能を維持することも可能となる。
【産業上の利用可能性】
【００４１】
以上のように、本発明にかかる空気調和機のフィルター装置は、エアフィルターに付着した埃を自動で清掃できるため、空気清浄機など空気中の埃を集塵するエアフィルターを装着した機器にも適用できる。
【図面の簡単な説明】
【００４２】
【図１】本発明の実施の形態１におけるフィルター装置の構成例を示す斜視図
【図２】本発明の実施の形態１における吸引ノズルの構成例を示す斜視図
【図３】本発明の実施の形態１における吸引ノズルの構成例を示す断面図（図２のＢ−Ｂ断面）
【図４】本発明の実施の形態１における集塵部の構成例を示す断面図（図１のＡ−Ａ断面）
【図５】本発明の実施の形態２における吸引装置の構成例を示した図
【図６】本発明の実施の形態３における吸引装置の構成例を示した図
【図７】本発明の実施の形態４における空気調和機の構成例を示した断面図
【符号の説明】
【００４３】
１  フィルターワク
２  エアフィルター
３  吸引ノズル
４  ガイドレール
５  吸引ダクト
６  吸引装置
７  排気ダクト
８  ノズル
９  フィルム
１０  ノズル開口部
１１  吸引孔
１２  駆動穴
１３  ステッピングモータ
１４  ギヤ
１５ａ  ローラー
１５ｂ  ローラー
１５ｃ  ローラー
１６  開口部
１７  フィルムガイド
１８  集塵部
２０  フィルター装置
２１  吸込口
２２  熱交換器
２３  ファン
２４  吹出口
２５  風流路
２６  本体
２７  空間部分
２８  流入口
２９  流出口
３１  吸引ダクト接続口
３２  排気ダクト接続口
３３  吸引モータ
３４  吸引ファン
３５  ケーシング
３６  送風通路
３７  集塵フィルター
３８  ケーシングカバー
【図１】
2007071494.tif 000003
【図２】
2007071494.tif 000004
【図３】
2007071494.tif 000005
【図４】
2007071494.tif 000006
【図５】
2007071494.tif 000007
【図６】
2007071494.tif 000008
【図７】
2007071494.tif 000009